(57)【要約】【課題】カップホルダーにおいて、飲料容器を安定して保持しつつ、飲料容器の周面全体において保温効果を発揮することができる。【解決手段】飲料容器（６）を収容するカップホルダー（１０）であって、飲料容器（６）を収容する有底筒状のホルダー（１２）と、ホルダー（１２）の内周面側に設けられている複数のエア袋（４２）と、複数のエア袋（４２）の飲料容器（６）に対向する面に取り付けられている加熱部材（３０）と、を備え、複数のエア袋（４２）へ空気を注入することにより複数のエア袋（４２）が膨らみ、ホルダー（１２）内に収容されている飲料容器（６）に複数のエア袋（４２）と加熱部材（３０）が当接することを特徴とする。【選択図】図７
2018177028.tif 000002
【特許請求の範囲】
【請求項１】
飲料容器を収容するカップホルダーであって、
前記飲料容器を収容する有底筒状のホルダーと、
前記ホルダーの内周面側に設けられている複数のエア袋と、
前記複数のエア袋の前記飲料容器に対向する面に取り付けられている加熱部材と、を備え、
前記複数のエア袋へ空気を注入することにより前記複数のエア袋が膨らみ、前記ホルダー内に収容されている前記飲料容器に前記複数のエア袋と前記加熱部材が当接することを特徴とするカップホルダー。
【請求項２】
前記加熱部材を覆うように配されている伸縮性および熱伝導性を有する加熱部材カバーを更に備え、
前記加熱部材は伸縮性を有する電熱線から構成されていることを特徴とする請求項１に記載のカップホルダー。
【請求項３】
前記複数のエア袋の各エア袋はシート状に形成されており、
前記電熱線は、前記シート状の前記各エア袋の表面及び裏面を複数回巻くようにスパイラル状に配されていることを特徴とする請求項２に記載のカップホルダー。
【請求項４】
前記電熱線は、一端のみが前記各エア袋に固定されていることを特徴とする請求項３に記載のカップホルダー。
【請求項５】
前記各エア袋は、前記飲料容器に対向するように配される伸縮性を有する表皮と、シート状の基材と、前記基材と前記表皮との間に配されているシート状の伸縮性部材とを備え、
前記基材と前記伸縮性部材との間に空気が供給されると、前記各エア袋が膨らむとともに、前記電熱線及び加熱部材カバーが伸びることを特徴とする請求項３または請求項４に記載のカップホルダー。
【請求項６】
前記ホルダーの内側に配されている略角筒状のエア袋フレームを更に備え、前記エア袋フレームは、それぞれ開口部を有する４つのフレーム部からなり、
前記複数のエア袋はそれぞれ前記フレーム部と前記ホルダーの前記内周面との間に配され、前記複数のエア袋はそれぞれ前記エア袋フレームの前記開口部から前記ホルダーの内部空間に露出しており、
前記エア袋に空気が供給されると、前記エア袋及び前記加熱部材が前記開口部から膨出することを特徴とする請求項１ないし請求項５のいずれか一項に記載のカップホルダー。
【発明の詳細な説明】
【技術分野】
【０００１】
本発明は、カップホルダーに関する。
【背景技術】
【０００２】
従来、車両室内に設置され、缶、コップ、瓶、ペットボトル等の飲料容器を収容する容器受け部を有するカップホルダーにおいて、容器受け部内の飲料容器を保温する構成が知られており、例えば下記特許文献１に開示されている。特許文献１に記載のカップホルダーは容器受け部の底部に加熱素子を備え、側壁部に蓄熱部を備えており、加熱素子からの熱を蓄熱部を介して容器受け部内の飲料容器に伝達することにより、飲料容器を保温している。
【先行技術文献】
【特許文献】
【０００３】
【特許文献１】特許第２８９７６１８号公報
【発明の概要】
【発明が解決しようとする課題】
【０００４】
上記の構成においては、蓄熱部は飲料容器の周面の一部に当接しているだけであり、飲料容器全体を保温するには非効率であった。
【０００５】
本発明は上記のような事情に基づいて完成されたものであって、飲料容器を安定して保持しつつ、飲料容器の周面全体において保温効果を発揮することが可能なカップホルダーを提供することを目的とする。
【課題を解決するための手段】
【０００６】
上記課題を解決するために、本発明は、飲料容器を収容するカップホルダーであって、前記飲料容器を収容する有底筒状のホルダーと、前記ホルダーの内周面側に設けられている複数のエア袋と、前記複数のエア袋の前記飲料容器に対向する面に取り付けられている加熱部材と、を備え、前記複数のエア袋へ空気を注入することにより前記複数のエア袋が膨らみ、前記ホルダー内に収容されている前記飲料容器に前記複数のエア袋と前記加熱部材が当接することに特徴を有する。
【０００７】
上記構成によれば、ホルダーの内周面側に設けられている複数のエア袋の飲料容器に対向する面には加熱部材が取り付けられているので、空気を注入することにより複数のエア袋が膨らむと、ホルダー内に収容されている飲料容器の周面に複数のエア袋と、エア袋に取り付けられている加熱部材が当接する。このように、飲料容器はその周面において複数個所で加熱部材及びエア袋に当接するので、飲料容器内の飲料を効率よく保温することができるとともに、飲料容器のガタツキを抑制し安定して保持することができる。
【０００８】
また、複数のエア袋に対して空気を注入するため、飲料容器を迅速に安定して保持することができる。さらに、複数のエア袋への空気の注入量を調節することによりエア袋の膨張量を無段階に調節することができるので、様々な径の大きさの飲料容器に対して効率良く保温すること及び安定して保持することが可能である。
【０００９】
前記加熱部材を覆うように配されている伸縮性及び熱伝導性を有する加熱部材カバーを更に備え、前記加熱部材は伸縮性を有する電熱線から構成されているものとすることができる。
【００１０】
上記構成によれば、加熱部材カバーは熱伝導性を有し、飲料容器の径の大きさに応じたエア袋の膨張に追従して加熱部材及び加熱部材カバーも伸びるため、加熱部材は加熱部材カバーを介して飲料容器に確実に当接することができる。
【００１１】
前記複数のエア袋の各エア袋はシート状に形成されており、前記電熱線は、前記シート状の前記各エア袋の表面及び裏面を複数回巻くようにスパイラル状に配されているものとすることができる。このような構成によれば、エア袋の表面に電熱線を簡単に効率よく配することができる。
【００１２】
前記電熱線は、一方の端のみが前記各エア袋に固定されているものとすることができる。このような構成によれば、簡単な構成で電熱線を伸縮可能にエア袋に取り付けることができる。
【００１３】
前記各エア袋は、前記飲料容器に対向するように配される伸縮性を有する表皮と、シート状の基材と、前記基材と前記表皮との間に配されているシート状の伸縮性部材とを備え、前記基材と前記伸縮性部材との間に空気が供給されると、前記各エア袋が膨らむとともに、前記電熱線及び加熱部材カバーが伸びるものとすることができる。
【００１４】
上記構成によれば、飲料容器に対向するように表皮が配されているので、可動ホルダー内部において見栄えが損なわれない。また、表皮は伸縮性を有しているので、伸縮性部材と共に伸縮することが可能であり、エア袋が膨張した状態においても見栄えが良い。
【００１５】
前記ホルダーの内側に配されている略角筒状のエア袋フレームを更に備え、前記エア袋フレームは、それぞれ開口部を有する４つのフレーム部からなり、前記複数のエア袋はそれぞれ前記フレーム部と前記ホルダーの前記内周面との間に配され、前記複数のエア袋はそれぞれ前記エア袋フレームの前記開口部から前記ホルダーの内部空間に露出しており、前記エア袋に空気が供給されると、前記エア袋及び前記加熱部材が前記開口部から膨出するものとすることができる。
【００１６】
上記構成によれば、複数のエア袋はエア袋フレームの開口部を介して膨出し、飲料容器に当接するので、安定して膨出することができる。
【発明の効果】
【００１７】
本発明のカップホルダーによると、飲料容器を安定して保持しつつ、飲料容器の周面全体において保温効果を発揮することが可能である。
【図面の簡単な説明】
【００１８】
【図１】本発明の第１実施形態に係るカップホルダーの斜視図
【図２】飲料容器が収容されていないカップホルダーの斜視図
【図３】カップホルダーのホルダー及びエア袋フレームを示す分解斜視図
【図４】エア袋の斜視図
【図５】エア袋の正面図
【図６】図２におけるＶＩ−ＶＩ線で切断した断面図
【図７】図１におけるＶＩＩ−ＶＩＩ線で切断した断面図
【図８】本発明の第２実施形態に係るカップホルダーの分解斜視図
【発明を実施するための形態】
【００１９】
本発明の第１実施形態を図１から図７を参照して説明する。本実施形態においては、図１及び図２に示すようなカップホルダー１０について説明する。このようなカップホルダー１０は、例えば車両のセンターコンソールや、乗物のシート側部にホルダーケースを介して取り付けられている。
【００２０】
カップホルダー１０の構成について図３を参照して説明する。カップホルダー１０は、飲料容器６を収容する有底筒状のホルダー１２と、ホルダー１２の内周面側に設けられている複数のエア袋４２と、エア袋４２の飲料容器６に対向する面に取り付けられている電熱線（加熱部材）３０とを備える。
【００２１】
ホルダー１２は、四角形状の底部１４と底部１４の周端から立設されている側壁部１６とから構成され、底部１４と側壁部１６により囲まれた収容部の内部空間に飲料容器６が収容される。ホルダー１２の側壁部１６には、後述するエアチューブ５０を通すためのエアチューブ用孔１８が形成されている。
【００２２】
次に、図３から図５を参照して、ホルダー１２の内周面側に設けられている複数のエア袋４２について説明する。ホルダー１２の側壁部１６の内面にエア袋４２がビス５８により取り付けられている。各エア袋４２は、図４に示すように、側壁部１６の内面側に配されているシート状の基材５２と、飲料容器に対向するようにホルダー１２の内部空間に面して配されている表皮５４と、基材５２と表皮５４との間に配されているシート状の伸縮性部材５６とから構成されている。基材５２と、伸縮性部材５６と、表皮５４はそれぞれ長方形状を有しており、その周端部において熱溶着により互いに接着されている。４つの側壁部１６の内面にそれぞれエア袋４２がその溶着部分においてビス５８で取り付けられている
【００２３】
基材５２は、例えば樹脂材から形成されている。伸縮性部材５６は、基材５２との間に空気が供給されることにより膨張するようにゴムにより形成されている。表皮５４も伸縮性を有しており、伸縮性部材５６の膨張に伴って膨張する。本実施形態においては、エア袋４２はホルダー１２の側壁部１６に取付けられており、基材５２が伸縮性を有する材質から形成されている場合においても、側壁部１６によって側壁部１６側に膨張することを抑制している。また、側壁部１６によって伸縮性部材５６が内部空間とは反対側に向かって膨張することを抑制しているので、エア袋４２は基材５２を有していなくてもよい。
【００２４】
図６に示すように、基材５２と伸縮性部材５６に形成されている貫通孔にエアチューブ５０の一端が挿入されており、エアチューブ５０はエアチューブ用孔１８を挿通してその他端はポンプ（図示せず）に接続されている。ポンプからエアチューブ５０を介して基材５２と伸縮性部材５６との間に空気が注入される。また、ポンプによって基材５２と伸縮性部材５６との間の空気を吸引することができる。
【００２５】
カップホルダー１０が取り付けられるホルダーケースの上面には、ポンプによる空気の注入及び吸引を制御するスイッチが設けられている。スイッチは電線、プリント基板、ポンプ、及びエアチューブ５０に電気的に接続され、ポンプによるエア袋４２への空気の注入及び吸引、空気の注入量及び吸引量を制御している。
【００２６】
図４及び図５に示すように、各エア袋４２は長方形のシート状に形成されており、そのエア袋４２にはその長辺方向において電熱線（加熱部材）３０が巻回されている。電熱線３０は伸縮性を有しており、例えば伸縮可能なコイル状に構成されている。具体的には、電熱線３０はシート状のエア袋４２の表面及び裏面をその長辺方向において複数回巻くようにスパイラル状に配されている。また、電熱線３０はその上側の一端３０Ａのみが側壁部１６に対して固定されており、スパイラル状に巻回されている部分及び下側の他端３０Ｂは、電熱線３０の伸縮時に移動可能に取り付けられている。このような構成により、エア袋４２の膨張、収縮に伴って電熱線３０も伸縮可能となっている。
【００２７】
各エア袋４２の電熱線３０を覆うように電熱線カバー（加熱部材カバー）３２が配されている。電熱線カバー３２は例えば塩化ビニル等の熱伝導性及び伸縮性を有する材質により構成されており、エア袋３２の膨張、収縮に伴って伸縮可能となっている。電熱線カバー３２は、図４に示すように、電熱線３０の上側部分３２Ａと、下側部分３２Ｂ及び、電熱線３０の間に配される中間部分３２Ｃにおいてエア袋４２に接着剤等により固着されている。電熱線カバー３２において電熱線３０を覆っている部分はトンネルのように構成されており、その内部において固定されていない電熱線３０及び電熱線３０の他端３０Ｂは移動可能に保持されている。
【００２８】
カップホルダー１０が取り付けられるホルダーケースの上面には、電熱線３０の発熱をオン・オフ制御するための電源スイッチが設けられている。電源スイッチは図示しない電線、プリント基板を介して電熱線３０に電気的に接続されており、電熱線３０からの発熱量は、飲料容器、電熱線カバー３２、及びエア袋４２が変形あるいは損傷しないように制御されている。
【００２９】
エア袋フレーム４６は、図３に示すように、４つの壁状のフレーム部６２により上下に開口を有する略角筒状に形成されており、各フレーム部６２には開口部６０が設けられている。エア袋フレーム４６はホルダー１２の内部に挿入されており、フレーム部６２はエア袋４２の表皮５４及び電熱線カバー３２が開口部６０を介してホルダー１２の内部空間に露出するように、エア袋４２を表皮５４側から覆うように配されている。
【００３０】
次に、カップホルダー１０のエア袋４２及び電熱線３０による作用及び効果について図６及び図７を参照して説明する。
【００３１】
図６及び図７に示すように、エアチューブ５０は、ホルダー１２の側壁部１６に形成されているエアチューブ用孔１８及び基材５２に形成されている貫通孔を介して基材５２と伸縮性部材５６との間の空間に連通している。スイッチがオン操作されると、エア袋４２への空気の注入が開始され、ポンプからエアチューブ５０を介して空気を基材５２と伸縮性部材５６との間の空間（エア袋４２）に注入することにより、エア袋４２が膨らむ。
【００３２】
詳細には、図１及び図７に示すように、伸縮性部材５６、表皮５４、電熱線３０、及び電熱線カバー３２がエア袋フレーム４６の開口部６０を介してホルダー１２の内部空間に膨出する。このとき、エア袋４２に注入する空気量を調節することにより、エア袋４２の膨張量を任意の量に設定可能であり、エア袋４２が飲料容器６に当接するように膨張させることができる。このとき、４つのエア袋４２には同じタイミングでポンプから空気が注入される。
【００３３】
具体的には、図７に示すように、ホルダー１２の内径寸法よりも小さい径の飲料容器６がカップホルダー１０に収容された場合には、飲料容器６をホルダー１２に入れた状態で、スイッチをオン操作してエア袋４２にエアチューブ５０を介して空気を注入する。すると、基材５２と伸縮性部材５６との間の空間に空気が注入されエア袋４２が膨張し始める。そして、図７に示すように、伸縮性部材５６、表皮５４、電熱線３０、及び電熱線カバー３２が開口部６０を介してホルダー１２内に膨出し、電熱線カバー３２、電熱線３０、及び表皮５４が飲料容器６に当接したところで、空気の注入を停止する。
【００３４】
本明細書において、電熱線３０（加熱部材）が飲料容器６に当接するとは、電熱線３０が直接飲料容器６に当接している状態に加え、電熱線３０が電熱線カバー３２（加熱部材カバー）等の熱伝導可能な部材を介して飲料容器６に対して隙間なく熱伝導可能に飲料容器６に当接している状態も含むものである。
【００３５】
エア袋４２に空気が注入されて膨張すると、伸縮性を有する電熱線３０及び電熱線カバー３２も同様に伸びる。上記したように、電熱線３０はその一端３０Ａにおいて固定されており、一端３０Ａ以外の電熱線３０における他端３０Ｂまでの部分は電熱線カバー３２内において移動可能に配されている。そのため、エア袋４２の膨張に伴って電熱線カバー３２は伸長され、電熱線カバー３２の内部において電熱線３０は一端３０Ａが固定された状態でその他の部分は伸長可能となっている。このような構成により、エア袋４２は電熱線３０及び電熱線カバー３２が取り付けられていても、無理なく膨張、収縮することができる。
【００３６】
このように、エア袋４２への空気の注入により複数のエア袋４２は膨張し飲料容器６に当接するので、電熱線３０も飲料容器６に当接する。そのため、電熱線３０に接続されている電源スイッチがオン操作されて電熱線３０が発熱すると、電熱線３０からの発熱は効率よく飲料容器６に伝達される。さらに、電熱線３０は４つのエア袋４２にそれぞれ設けられており、飲料容器６のほぼ全周面にわたって当接しているので、飲料容器６をさらに効率よく保温することができる。
【００３７】
このように、カップホルダー１０に収容された飲料容器６の径寸法にあわせて、エア袋４２が飲料容器６に当接するようにエア袋４２の膨出量を調節することができるので、ホルダー１２の内径寸法よりも小さい径の飲料容器６がカップホルダー１０に収容された場合おいても、飲料容器６のガタツキを抑制することができ、安定して飲料容器６を保持することができる。これにより、カップホルダー１０内において飲料容器が不安定になり、落下してしまうという事態が抑制される。また、エア袋４２への空気の注入量を調節することによりエア袋４２の膨張量を無段階に調節することができるので、様々な径の大きさの飲料容器を安定して保持することが可能である。
【００３８】
このように、飲料容器６の径寸法に合わせてエア袋４２が飲料容器６に当接するようにエア袋４２に空気が注入されるので、ホルダー１２の内径寸法よりも小さい径の飲料容器６がカップホルダー１０に収容された場合おいても、エア袋４２に取り付けられている電熱線３０を飲料容器６に確実に当接させることができる。さらに、電熱線３０は４つのエア袋４２のそれぞれに取り付けられているので、飲料容器６の全周面にわたって電熱線３０を当接させることができ、効率よく飲料容器に熱を伝達することができ、保温効果も高い。
【００３９】
更に、表皮５４が開口部６０からホルダー１２の内部空間に露出しているので、カップホルダー１０に飲料容器が収容されていない状態においても、カップホルダー１０の内側面の見栄えがよい。また、表皮５４は伸縮性を有しているので、伸縮性部材５６と共に伸縮することが可能であり、エア袋４２が膨張した状態においても見栄えが良い。
【００４０】
エア袋４２はホルダー１２の側壁部１６に取り付けられており、エア袋４２の外側への膨張は側壁部１６によって抑制されており、基材５２と伸縮性部材５６との間の空間に空気が注入された際に、エア袋４２がホルダー１２の外側に向かって膨出してしまうことが抑制される。そのため、基材５２と伸縮性部材５６との間の空間に注入された空気によりエア袋４２はホルダー１２の内部空間に向かって効果的に膨出する。それにより、エア袋４２及び電熱線３０は飲料容器６に効果的に当接することができ、安定して保持することができ、効果的に熱伝達をすることができる。
【００４１】
膨張したエア袋４２を戻す場合には、スイッチをオフ操作して基材５２と伸縮性部材５６との間の空間に注入された空気をポンプによりエアチューブ５０を介して吸引してエア袋４２から空気を抜くことにより、図６に示すように、エア袋４２を元の状態に戻すことができる。このとき、ポンプにより同じタイミングで４つのエア袋４２から空気が吸引される。また、電源スイッチをオフ操作することにより、電熱線３０の発熱は停止される。
【００４２】
また、複数のエア袋４２により迅速に空気の出し入れを行うことができるので、迅速に飲料容器を安定して保持することができる。また、エア袋４２はエア袋フレーム４６の開口部６０を介して膨出し飲料容器６に当接するので、安定して膨出することができる。さらに、複数のエア袋４２のそれぞれに電熱線３０及び電熱線カバ−３２が取り付けられており、飲料容器６に対して全周において熱伝達が可能であるため、熱伝達効率、保温効果が高い。
【００４３】
次に、第２実施形態について、図８を参照して説明する。本実施形態においては、エア袋４２がエア袋フレーム４６に取り付けられており、それ以外の構成、作用及び効果は第１実施形態と同様であり、詳細な説明は省略する。
【００４４】
図８に示すように、エア袋フレーム４６のフレーム部６２においてホルダー１２の内周面に対向する面に、エア袋４２Ａがビス５８により取り付けられており、表皮５４及び電熱線カバー３２はフレーム部６２の開口部６０からホルダー１２の内部空間に露出している。本実施形態においては、エア袋４２Ａの基材５２Ａは伸縮性部材５６がホルダー１２の側壁部１６に向かって膨張してしまうことを抑制可能な程度の剛性を有している材料から構成されている。
【００４５】
上記のようにエア袋４２Ａが取り付けられたエア袋フレーム４６は、ホルダー１２内に挿入される。基材５２Ａと伸縮性部材５６との間に連通されているエアチューブ５０は基材５２Ａの貫通孔に挿通され、ホルダー１２のエアチューブ用孔１８に挿通され、ポンプに接続されている。
【００４６】
本実施形態のような構成において、エア袋４２Ａに対する空気の注入、吸引、及び電熱線３０からの発熱のオン・オフ制御、エア袋４２Ａへの空気の注入量、吸引量の調節によるエア袋４２Ａの膨張、収縮の作用、効果は第１実施形態と同様である。
【００４７】
エア袋４２Ａの基材５２Ａは剛性を有する材料から構成されているため、第１エア袋４２Ａに空気が注入されて膨張した場合においても、エア袋４２Ａが基材５２Ａ側に膨出してしまうことは抑制される。そのため、基材５２Ａと伸縮性部材５６との間の空間に注入された空気によりエア袋４２Ａはホルダー１２の内部空間に向かって効果的に膨出する。それにより、エア袋４２Ａは、飲料容器に効果的に当接することができ、安定して保持することができるとともに、電熱線３０も確実に飲料容器に当接することができる。このように、飲料容器６に対して全周において熱伝達が可能であり、熱伝達効率、保温効果が高い。
【００４８】
＜他の実施形態＞
本発明は上記記述及び図面によって説明した実施形態に限定されるものではなく、例えば次のような実施形態も本発明の技術的範囲に含まれる。
【００４９】
第１実施形態において、エア袋４２はホルダー１２の側壁部１６に取り付けられており、伸縮性部材５６の側壁部１６側への膨張は側壁部１６により抑制することが可能であるので、エア袋４２の基材５２は設けられていなくてもよい。
【００５０】
第１実施形態において、電熱線３０はその上側の一端３０Ａにおいて固定されていたが、エア袋４２の膨張、収縮に伴って伸縮可能であれば、他の部分において固定されていてもよい。例えば電熱線３０の中央部において固定されていてもよい。
【００５１】
第１実施形態において、ホルダー１２は４つの角部のうち対向する２つの角部において分離されている２つの部材から構成されていてもよい。
【符号の説明】
【００５２】
６…飲料容器、１０…カップホルダー、１２…ホルダー、１４…底部、１６…側壁部、１８…エアチューブ用孔、３０…電熱線（加熱部材）、３０Ａ…一端、３０Ｂ…他端、３２…電熱線カバー（加熱部材カバー）、４２、４２Ａ…エア袋、４６…エア袋フレーム、５０…エアチューブ、５２、５２Ａ…基材、５４…表皮、５６…伸縮性部材、５８…ビス、６０…開口部、６２…フレーム部
【図１】
2018177028.tif 000003
【図２】
2018177028.tif 000004
【図３】
2018177028.tif 000005
【図４】
2018177028.tif 000006
【図５】
2018177028.tif 000007
【図６】
2018177028.tif 000008
【図７】
2018177028.tif 000009
【図８】
2018177028.tif 000010